(57)【要約】【課題】歌唱を録音した録音情報中、指定した区間の箇所を聴取するとともに、当該聴取箇所に対する評価情報を確認可能なカラオケ用プログラムを提供する。【解決手段】本発明に係るカラオケ用プログラムは、受付ステップにより受付けた区間に対応する録音情報を含む投稿情報をホスト装置に送信する送信ステップと、ホスト装置から受信した投稿情報に含まれる録音情報を再生する再生ステップと、録音情報の再生に同期して、当該録音情報の録音時に使用した楽曲情報に対応する歌唱基準情報と、当該録音情報の録音対象となった歌唱音声と、に基づいて形成された評価情報を表示手段に表示させる表示ステップと、を情報処理装置に実行させることを特徴とする。【選択図】図１７
2015191160.tif 000002
【特許請求の範囲】
【請求項１】
ネットワークを介してホスト装置と通信可能な情報処理装置において実行されるカラオケ用プログラムであって、
マイクロホンから入力された歌唱音声を示す歌唱音声情報を含む録音情報を記憶手段に記憶させる記憶ステップと、
前記記憶ステップにより記憶された前記録音情報の再生区間の中から区間の指定を受付ける受付ステップと、
前記受付ステップにより受付けた区間に対応する前記録音情報を含む投稿情報をホスト装置に送信する送信ステップと、
前記ホスト装置から受信した投稿情報に含まれる録音情報を再生する再生ステップと、
前記録音情報の再生に同期して、当該録音情報の録音時に使用した楽曲情報に対応する歌唱基準情報と、当該録音情報の録音対象となった歌唱音声と、に基づいて形成された評価情報を表示手段に表示させる表示ステップと、を情報処理装置に実行させることを特徴とする
カラオケ用プログラム。
【請求項２】
前記記憶ステップは、楽曲情報に対応する歌唱基準情報と、前記マイクロホンから入力された歌唱音声と、に基づいて評価情報を形成して記憶させ、
前記送信ステップは、前記記憶ステップで記憶した前記評価情報を投稿情報に含めて前記ホスト装置に送信する
請求項１に記載のカラオケ用プログラム。
【請求項３】
前記再生ステップは、録音情報の録音時に使用した楽曲情報に対応する歌唱基準情報と、当該録音情報と、に基づいて評価情報を形成する
請求項１に記載のカラオケ用プログラム。
【請求項４】
前記記憶ステップは、マイクロホンから入力された歌唱音声から音程情報を抽出して記憶手段に記憶させ、
前記送信ステップは、前記受付ステップにより受付けた区間に対応する前記録音情報及び音程情報を含む投稿情報をホスト装置に送信し、
前記再生ステップは、録音情報の録音時に使用した楽曲情報に対応する歌唱基準情報と、前記音程情報と、に基づいて評価情報を形成する
請求項１に記載のカラオケ用プログラム。
【請求項５】
前記情報処理装置に、前記歌唱基準情報の変更を受付ける第２受付ステップを更に実行させ、
前記再生ステップは、前記第２受付ステップで変更を受付けた前記歌唱基準情報と、前記録音情報又は音程情報と、に基づいて評価情報を形成する
請求項３又は４に記載のプログラム。
【請求項６】
前記再生ステップは、前記マイクロホンから入力された歌唱音声と、録音情報の録音時に使用した楽曲情報に対応する歌唱基準情報と、に基づいて第２の評価情報を形成し、
前記表示ステップは、録音情報の再生に同期して第２の評価情報を表示手段に表示させる
請求項１から請求項５の何れか１項に記載のカラオケ用プログラム。
【請求項７】
ネットワークを介してホスト装置と通信可能な情報処理装置であって、
マイクロホンから入力された歌唱音声を示す歌唱音声情報を含む録音情報を記憶する記憶手段と、
前記記憶手段に記憶された前記録音情報の再生区間の中から区間の指定を受付ける受付手段と、
前記受付手段により受付けた区間に対応する前記録音情報を含む投稿情報をホスト装置に送信する送信手段と、
前記ホスト装置から受信した投稿情報に含まれる録音情報を再生する再生手段と、
前記録音情報の再生に同期して、当該録音情報の録音時に使用した楽曲情報に対応する歌唱基準情報と、当該録音情報の録音対象となった歌唱音声と、に基づいて形成された評価情報を表示手段に表示させる表示手段と、を備えることを特徴とする
情報処理装置。
【発明の詳細な説明】
【技術分野】
【０００１】
本発明は、携帯端末、パーソナルコンピュータ、カラオケ装置等、各種情報処理装置で実行可能なカラオケ用プログラム、情報処理装置、並びに、ホスト装置に関する。
【背景技術】
【０００２】
従来、カラオケボックスやスナック等のナイト店では、演奏にあわせて歌唱を楽しむカラオケが行われている。現在、携帯端末やパーソナルコンピュータの普及、インターネットによる通信インフラの整備に伴い、カラオケボックス等に設置されているカラオケ装置のみならず、個人の所有する携帯端末（スマートフォン、携帯電話、タブレット端末等）、パーソナルコンピュータ、家庭用ゲーム機等の各種情報処理装置を使用してカラオケを楽しむことが可能である。
【０００３】
このような対象となる情報処理装置にてカラオケ用プログラムを実行することで、カラオケを行うことが可能である。現在、スマートフォンやタブレット端末では、カラオケ業者によってカラオケ用プログラムが提供されており、通信回線を介してカラオケ用プログラムを取得し、対応する情報処理装置にインストールすることでカラオケを楽しむことが可能となっている。
【０００４】
特許文献１には、歌唱音声、及び、歌唱の様子を記録した動画情報を配信可能な動画情報配信システムが開示されている。この動画情報配信サービスでは、複数のユーザーの動画情報を組み合わせることで、複数ユーザーによる投稿の新たな楽しみ方を提供するものである。具体的には、カラオケ装置を利用して録画された動画情報をホスト装置にアップロードして公開し、公開された動画情報をコラボ相手となるユーザーに配信し、さらなる録画情報を作成することで、１の楽曲によるコラボ動画を作成することを可能としている。
【先行技術文献】
【特許文献】
【０００５】
【特許文献１】特開２０１２−２０９８５６号公報
【発明の概要】
【発明が解決しようとする課題】
【０００６】
特許文献１に開示される動画情報配信システムにみられるように、カラオケの分野では、歌唱するだけの楽しみ方だけに留まらず、自分の歌唱や歌う姿を他の人に公開する（歌唱投稿サービス）という新たな楽しみ方が行われるようになった。歌唱投稿サービスでは、１楽曲を通じて録音された歌唱音声が投稿されることが通常である。そのため、投稿された歌唱音声を聴取する場合、楽曲の冒頭から再生する必要があり、結果的には興味の無い歌唱音声であっても聴取するのに時間がかかっていた。そのため、多数投稿された歌唱音声の中から、自分好みのものを見つけることは時間と手間がかかっていた。
【０００７】
また、１楽曲を通じて録音された歌唱音声の投稿に必要な通信量は大きくなり、スマートフォン等の携帯通信網を利用して気軽に投稿（あるいは投稿された歌唱の聴取）を行うことはできなかった。また、１楽曲を通じて録音された録音情報の容量は大きく、投稿された歌唱音声を保存・公開するホスト装置に対する負荷も大きくなることが予想される。したがって、個人が所有する情報処理装置では、気軽に投稿、並びに、その聴取を楽しむことは容易ではなかった。
【０００８】
本発明は、このようなカラオケの歌唱投稿の事情を鑑み、スマートフォン等、個人が所有する情報処理装置においても、歌唱の投稿、並びにその聴取に関するサービス向上を図ることを目的とする。さらに本発明は、投稿された歌唱が、オリジナルの歌唱とどのように異なっているか、投稿した歌唱を再生するユーザー側にて確認できることを目的としている。
【課題を解決するための手段】
【０００９】
そのため本発明に係るカラオケ用プログラムは、以下の構成を採用することを特徴としている。
ネットワークを介してホスト装置と通信可能な情報処理装置において実行されるカラオケ用プログラムであって、
マイクロホンから入力された歌唱音声を示す歌唱音声情報を含む録音情報を記憶手段に記憶させる記憶ステップと、
前記記憶ステップにより記憶された前記録音情報の再生区間の中から区間の指定を受付ける受付ステップと、
前記受付ステップにより受付けた区間に対応する前記録音情報を含む投稿情報をホスト装置に送信する送信ステップと、
前記ホスト装置から受信した投稿情報に含まれる録音情報を再生する再生ステップと、
前記録音情報の再生に同期して、当該録音情報の録音時に使用した楽曲情報に対応する歌唱基準情報と、当該録音情報の録音対象となった歌唱音声と、に基づいて形成された評価情報を表示手段に表示させる表示ステップと、を情報処理装置に実行させることを特徴とする。
【００１０】
さらに本発明に係るカラオケ用プログラムにおいて、
前記記憶ステップは、楽曲情報に対応する歌唱基準情報と、前記マイクロホンから入力された歌唱音声と、に基づいて評価情報を形成して記憶させ、
前記送信ステップは、前記記憶ステップで記憶した前記評価情報を投稿情報に含めて前記ホスト装置に送信する。
【００１１】
さらに本発明に係るカラオケ用プログラムにおいて、
前記再生ステップは、録音情報の録音時に使用した楽曲情報に対応する歌唱基準情報と、当該録音情報と、に基づいて評価情報を形成する。
【００１２】
さらに本発明に係るカラオケ用プログラムにおいて、
前記記憶ステップは、マイクロホンから入力された歌唱音声から音程情報を抽出して記憶手段に記憶させ、
前記送信ステップは、前記受付ステップにより受付けた区間に対応する前記録音情報及び音程情報を含む投稿情報をホスト装置に送信し、
前記再生ステップは、録音情報の録音時に使用した楽曲情報に対応する歌唱基準情報と、前記音程情報と、に基づいて評価情報を形成する。
【００１３】
さらに本発明に係るカラオケ用プログラムは、
前記情報処理装置に、前記歌唱基準情報の変更を受付ける第２受付ステップを更に実行させ、
前記再生ステップは、前記第２受付ステップで変更を受付けた前記歌唱基準情報と、前記録音情報又は音程情報と、に基づいて評価情報を形成する。
【００１４】
さらに本発明に係るカラオケ用プログラムにおいて、
前記再生ステップは、前記マイクロホンから入力された歌唱音声と、録音情報の録音時に使用した楽曲情報に対応する歌唱基準情報と、に基づいて第２の評価情報を形成し、
前記表示ステップは、録音情報の再生に同期して第２の評価情報を表示手段に表示させる。
【００１５】
また本発明に係る情報処理装置は、
ネットワークを介してホスト装置と通信可能な情報処理装置であって、
マイクロホンから入力された歌唱音声を示す歌唱音声情報を含む録音情報を記憶する記憶手段と、
前記記憶手段に記憶された前記録音情報の再生区間の中から区間の指定を受付ける受付手段と、
前記受付手段により受付けた区間に対応する前記録音情報を含む投稿情報をホスト装置に送信する送信手段と、
前記ホスト装置から受信した投稿情報に含まれる録音情報を再生する再生手段と、
前記録音情報の再生に同期して、当該録音情報の録音時に使用した楽曲情報に対応する歌唱基準情報と、当該録音情報の録音対象となった歌唱音声と、に基づいて形成された評価情報を表示手段に表示させる表示手段と、を備えることを特徴とする。
【発明の効果】
【００１６】
本発明に係るカラオケ用プログラム、情報処理装置によれば、楽曲情報の再生に同期して録音された録音情報について、指定された所定時間の区間箇所を投稿情報として送信（投稿）することで、投稿情報に含まれる録音情報の容量を削減し、ホスト装置並びに通信回線の負担を軽減することが可能となる。また、投稿するユーザーにとっても、歌唱の聞き所を指定して投稿することが可能となる。また、投稿情報を聴取する側にとっても、多数アップロードされた投稿情報について、歌唱の聞き所を聴取することが可能であり、多数の投稿情報を効率よく聴取することが可能となる。
【００１７】
さらに、投稿情報の再生を行う際、録音情報の録音時に使用した楽曲情報に対応する歌唱基準情報と録音対象となった歌唱音声に基づいて形成された評価情報を表示手段に表示することで、投稿された歌唱が、オリジナルの歌唱とどのように異なっているか、投稿した歌唱を再生するユーザー側にて確認できる。したがって、投稿情報を再生するユーザーは、投稿情報中の優れた歌唱箇所、劣った歌唱箇所を確認することが可能となる。また、投稿情報では、オリジナルの歌唱と異なる歌い回しが人気を集めることが考えられる。投稿情報を再生するユーザーは、評価情報を参照することで、オリジナルと異なる歌い回しの特徴を客観的に確認することが可能となる。
【図面の簡単な説明】
【００１８】
【図１】本発明の実施形態に係る歌唱投稿の様子を示す模式図
【図２】本発明の実施形態に係る携帯端末（情報処理装置）を示す図
【図３】本発明の実施形態に係る楽曲情報のデータ構成を示す図
【図４】本発明の実施形態に係る携帯端末での投稿処理を示すフロー図
【図５】本発明の実施形態に係る再生処理（初回時）を示すブロック図
【図６】本発明の実施形態に係る楽曲選択画面を示す図
【図７】本発明の実施形態に係る楽曲詳細画面を示す図
【図８】本発明の実施形態に係る楽曲歌唱画面を示す図
【図９】本発明の実施形態に係る採点結果表示画面を示す図
【図１０】本発明の実施形態に係る録音情報管理画面を示す図
【図１１】本発明の実施形態に係る録音情報編集画面を示す図
【図１２】本発明の実施形態に係る編集ウィンドウの各種形態を示す図
【図１３】本発明の実施形態に係る投稿関連情報入力画面を示す図
【図１４】本発明の実施形態に係る投稿情報のデータ構成を示す図
【図１５】本発明の実施形態に係る採点ランキング画面を示す図
【図１６】本発明の実施形態に係る再生処理（投稿情報再生時）を示すブロック図
【図１７】本発明の実施形態に係る録音情報再生画面を示す図
【図１８】本発明の他の実施形態に係る再生処理（初回時）を示すブロック図
【図１９】本発明の実施形態に係る投稿情報のデータ構成を示す図
【図２０】本発明の実施形態に係る再生処理（投稿情報再生時）を示すブロック図
【発明を実施するための形態】
【００１９】
図１は、本発明の実施形態に係る歌唱投稿の様子を示す模式図であり、歌唱投稿システム全体の構成を示す図である。本発明に係る歌唱投稿システムは、カラオケ用ホスト装置５を中核として、カラオケ用プログラムがインストールされた各種情報処理装置（携帯端末、カラオケ装置、パーソナルコンピュータ等）を有して構成されている。カラオケ用ホスト装置５と各種情報処理装置は、インターネット等のネットワーク網を介して通信接続されている。携帯端末には、スマートフォン、タブレット端末、携帯電話など各種形態を使用することが可能である。図では、便宜上、投稿を行う投稿端末と、投稿を聴取する聴取端末に分けて記載しているが、投稿機能と投稿聴取機能は、同じ端末（情報処理装置）に兼ね備えたものであってもよい。
【００２０】
携帯端末を使用した場合の歌唱投稿について説明する。携帯端末にはカラオケ用プログラムが事前にインストールされており、ユーザーはこのカラオケ用プログラムを使用してカラオケ用ホスト装置５に歌唱する楽曲を要求する。携帯端末の場合、演奏する楽曲情報を記憶していないため、カラオケ用ホスト装置５に対して楽曲を要求し、受信した楽曲情報に基づいて演奏が行われる（非蓄積型）。一方、カラオケ装置の場合には、予めカラオケ用ホスト装置５から楽曲情報を受信して記憶した状態であり、記憶している楽曲情報に基づいて演奏が行われる（蓄積型）。このように歌唱する楽曲は、非蓄積型、蓄積型のどちらで取得してもよい。
【００２１】
携帯端末では、受信した楽曲情報に基づいて演奏を実行する。その際、演奏に同期して歌唱音声を録音して録音情報を形成し、録音情報を含む投稿情報をカラオケ用ホスト装置５に送信する。投稿情報を受信したカラオケ用ホスト装置５は、それを記憶部５１に蓄積するとともに、Ｗｅｂサーバ５２を通じて、曲名、投稿者など投稿情報に関する各種情報を聴取端末側に公開する。聴取端末側では、Ｗｅｂサーバ５２を通じて公開された各種情報に基づいて聴取を希望する投稿情報を選択し、カラオケ用ホスト装置５に要求を行う。投稿情報の要求を受信したカラオケ用ホスト装置５は、要求のあった聴取端末に対して、選択された投稿情報を送信する。聴取端末では受信した投稿情報を再生し、投稿された録音情報を聴取することが可能となる。
【００２２】
本発明の実施形態に係るカラオケ用プログラムを実行可能な情報処理装置の一例として携帯端末１の構成を説明する。図２は、本発明の実施形態に係る携帯端末１の構成を示す図である。この携帯端末１としては、スマートフォン、タブレット端末、携帯電話などを採用することが可能である。この携帯端末１に、本発明に係るカラオケ用プログラムがインストールされることで、歌唱音声を投稿可能な投稿処理を実行させることが可能となる。
【００２３】
本実施形態の携帯端末１は、ＣＰＵ１１、ＲＡＭ１２、記憶部１３、画像処理部１４、音響処理部１６を含んで構成された制御手段を有している。記憶部１３には、ハードディスク、ＳＳＤ等の不揮発性の記憶手段を採用することが可能である。この記憶部５３には、本実施形態のカラオケ用プログラム、そして、カラオケ用プログラムで使用する各種データが記憶される。
【００２４】
ＣＰＵ１１は、携帯端末１全体を統括して制御する手段であり、記憶部１３に記憶されたプログラム、データに基づいて各種制御を実行する。ＲＡＭ１２には、ＣＰＵ１１の制御によって生成されたデータを一時的に格納する。
【００２５】
音響処理部１６は、携帯端末１の音響関係の入出力を行う手段である。ＣＰＵ１１の制御によりスピーカ１７ａに放音させる手段である。また、音響処理部１６は、マイクロホン１７ｂと接続され、マイクロホン１７ｂから歌唱音声など、周囲の音声を取り込み可能としている。
【００２６】
タッチパネル表示部１８は、画像を表示する表示部１８ｂとその表面あるいは裏面に配設されるタッチパネル１８ａを有して構成されている。タッチパネル１８ａには、静電容量方式などユーザーのタッチ位置を認識可能とする各種タイプを採用することが可能である。ＣＰＵ１１は、表示部１８ｂに表示を行うとともに、タッチパネル１８ａからのタッチ入力にて、表示させている画像中のどの部分にタッチ入力されたかを判定することが可能である。
【００２７】
画像処理部１４は、携帯端末１の画像関係の入出力を行う手段である。画像処理部１４は、ＣＰＵ１１で形成された画像を表示部１８ｂに表示出力する。そして、携帯端末１の前面（タッチパネル表示部１８側）に配置されたフロントカメラ１５Ｆ、もしくは、携帯端末１の背面に配置されたリアカメラ１５Ｒから画像を取り込む機能を有する。
【００２８】
通信部１９は、携帯無線網や、無線ＬＡＮなどよる無線通信を行うことが可能であり、アクセスポイントと無線通信することで、携帯端末１をインターネットに通信接続させることが可能である。携帯端末１はインターネット上のサーバからカラオケ用プログラムを含む各種プログラム（「アプリ」とも呼ばれる）をダウンロードすることが可能である。なお、カラオケ用プログラムは、通信回線を利用した形態以外に、外部メモリ接続端子２２に接続された外部メモリＥＸからインストールすることとしてもよい。通信部１９には、赤外線通信部、Ｂｌｕｅｔｏｏｔｈ（商標）などの近距離通信手段をさらに設けることとしてもよい。
【００２９】
本実施形態の携帯端末１は、入力手段としてタッチパネル１８ａ以外に入力スイッチ２０を備えて構成されている。この入力スイッチ２０には、電源スイッチ、音量調整スイッチ、プログラムに応じて入力用途が変更されるスイッチなど、各種スイッチを設けることが可能である。
【００３０】
本実施形態の携帯端末１では、カラオケ用プログラムをインストールすることで、歌唱にあわせて録音された録音情報をホスト装置にアップロードすることが可能となっている。
【００３１】
図３には、本発明の実施形態に係る楽曲情報のデータ構成が示されている。この楽曲情報は、カラオケ用ホスト装置５の記憶部５１に蓄積され、携帯端末１からの要求に基づいて配信される情報である。楽曲情報を受信した携帯端末１では、楽曲情報に含まれる演奏情報を演奏する等、楽曲情報に基づいて各種処理を実行する。本実施形態の楽曲情報は、楽曲情報に関連する各種情報であるメタ情報と、演奏等、各種処理を実行する実情報に分けられる。メタ情報には、楽曲情報を識別するための楽曲識別情報、曲名、歌手名、作詞者名、作曲者名を有している。
【００３２】
楽曲情報の実情報には、演奏情報、歌詞情報、ガイドボーカル情報、基準音程情報（本発明における「歌唱基準情報」に相当）が含まれている。演奏情報は、ＭＩＤＩ規格に基づいて電子楽器用の制御情報、あるいは、実際の演奏を録音した圧縮音声情報等で構成され、カラオケの伴奏音を演奏するための情報である。歌詞情報は、歌唱補助のため、演奏情報に同期して表示される情報であり、演奏に同期して表示された歌詞の色替えを行うように構成してもよい。ガイドボーカル情報は、主旋律等、歌唱すべきパートに対応する音声情報であり、ユーザーによってそのオン／オフを指定することが可能である。基準音程情報は、評価処理（採点）に使用される情報で有り、歌唱すべきパートの音程を規定した情報である。マイクロホン１７ｂから入力される歌唱音声信号の音程と、この基準音程情報を比較することで、歌唱評価処理が行われる。
【００３３】
図４は、本発明の実施形態に係る投稿処理を示すフロー図である。ここでは携帯端末１を使用した場合の形態について説明を行う。携帯端末１においてカラオケ用プログラムを起動し、所定のメニューを選択することでこの投稿処理が開始される。本実施形態の投稿処理では、ユーザーはタッチパネル表示部１８上に表示される表示画面３１にて各種指示を行うことが可能である。投稿処理が開始されると、ユーザーは表示画面３１に表示される楽曲選択画面を介して所望の楽曲を選択することが可能である（Ｓ１０１）。
【００３４】
図６には、本発明の実施形態に係る楽曲選択画面例が示されている。この楽曲選択画面は、カラオケ業者側の推奨する楽曲を選択可能とするものであって、「注目作品」、「いいね！！ランキング」、「似てる！！ランキング」といった項目毎に楽曲が表示されている。ユーザーは、この楽曲選択画面を利用して歌唱したい楽曲を選択することが可能である。また、この楽曲選択画面では、表示されている楽曲に対して投稿された投稿情報を聴取することも可能である。聴取を希望する場合、各楽曲の右側に表示された再生ボタンを操作することで、当該楽曲の投稿情報を再生することが可能である。なお、楽曲の選択は、図６の楽曲選択画面に限らず、楽曲名、あるいは、歌手名を指定して検索することも可能である。
【００３５】
ユーザーにより歌唱したい楽曲が決定されると、図７に示される楽曲詳細画面が表示画面３１に表示される。この楽曲詳細画面では、曲名、歌手名等、楽曲に関する各種情報の他、演奏の際の各種設定を行うことが可能である。本実施形態では、ガイドボーカル（図３で説明したガイドボーカル情報）の放音設定、キー（演奏音程）の設定、テンポ（演奏速度）の設定を行うことが可能である。楽曲に関する各種情報の確認、並びに、演奏に関する各種設定を行ったユーザーは、「歌う」と表記された再生開始ボタン３１１を操作することで、楽曲情報の演奏を開始させる。
【００３６】
この楽曲詳細画面には、「マイスコア」、「ランキング」、「連携サービス」といったタブが表示されており、ユーザーは所望のタブを指定することで、関連した情報を参照することが可能である。このうち「マイスコア」を選択することで、表示している楽曲について、自分の歌唱得点について最高点あるいは履歴を閲覧することが可能である。「ランキング」は、表示している楽曲について、他のユーザーも含めた採点情報のランキングを閲覧することが可能である。右側に表示されるランキング詳細表示ボタン３１２を操作することで、詳細なランキングが閲覧可能となっている。
【００３７】
「歌う」と表記された再生開始ボタン３１１を操作すること（Ｓ１０２：Ｙｅｓ）で、指定された楽曲について演奏情報の演奏が開始される（Ｓ１０３）。本実施形態では、楽曲の演奏中、歌唱評価処理Ｓ１０４と、録音処理Ｓ１０５が行われる。歌唱評価処理Ｓ１０４は、楽曲情報に含まれる基準音程情報と、マイクロホン１７ｂから入力される歌唱音声信号の音程とを比較することで、歌唱の評価を行う処理であり、本実施形態では歌唱評価を得点に換算する採点を行う形態としている。
【００３８】
録音処理Ｓ１０５は、マイクロホン１７ｂから入力される歌唱音声信号を録音し、録音情報を形成する処理であり、本実施形態では、歌唱音声信号と演奏情報に基づく演奏音信号をミキシングして録音する形態となっている。このような形態に限らず、歌唱音声信号のみを録音することとしてもよい。その場合、録音情報を再生する際、対応する楽曲の演奏情報を同期して演奏することで、歌唱状態を再現することが可能である。
【００３９】
図８には、楽曲演奏中、表示画面３１に表示される楽曲歌唱画面が示されている。本実施形態の楽曲歌唱画面には、楽曲情報に含まれる歌詞情報に基づいて歌詞が同期表示される歌詞表示領域３１４の他、基準音程情報、及び、マイクロホン１７ｂから入力される歌唱音声に基づいて、歌唱評価を確認可能な評価表示領域３１３が設けられている。この評価表示領域３１３には、横軸軸を時間軸、縦軸を音高軸として有し、基準音程情報に基づく音高のバー３１３ａが、演奏の進行に伴い左方向へとスクロールしていく。破線で示す位置が現在のタイミング、すなわち歌唱位置に相当する。また、歌唱者の歌唱に伴いマイクロホン１７ｂから入力された歌唱音声の音程が実線３１３ｂとして破線左側に順次形成されていく。なお、歌唱音声の音高が基準音程情報に適合する場合と、適合しない場合とで、歌唱済み箇所のバーの表示形態（色や形など）を変化させることとしてもよい。
【００４０】
このように本実施形態では、評価情報として、歌唱中、基準音程情報に基づく音高をバー３１３ａとして表示し、マイクロホン１７ｂから入力される歌唱音声の音程を実線３１３ｂとして表示することで、自己の歌唱状態を確認しつつ、歌唱を行うことを可能としている。
【００４１】
さらに、楽曲歌唱画面の下方には、再生管理ツール３１５が表示されている。この再生管理ツールは、演奏情報の一時中止、演奏状況の進行を示すプログレスバーなどを含んで構成される。楽曲の演奏が終了した場合（Ｓ１０６：Ｙｅｓ）、歌唱評価処理の結果（この場合、採点情報）が表示画面３１に表示される。
【００４２】
図５には、本発明の実施形態に係る再生処理（初回時）を示すブロック図が示されている。本実施形態の再生処理は、ＣＰＵ１１の制御の下、主に音響処理部１６によって実行される処理である。音程検出処理（Ｐ１０１）では、マイクロホン１７ｂから入力された歌唱音声に対して、ＦＦＴ等の音響解析処理を施すことで、音程情報を抽出する。本実施形態では、評価対象として音程を使用しているが、評価対象としては、音程のみならず音量など、歌唱音声の各種特性を使用することが可能である。第１再生処理（Ｐ１０４）は、楽曲情報中の演奏情報に基づき、伴奏としての楽曲を再生する処理である。第１再生処理（Ｐ１０４）では、楽曲の再生に同期して、基準音程情報、すなわち、歌唱すべき音程を示す情報を評価処理（Ｐ１０２）に出力する。
【００４３】
評価処理（Ｐ１０２）は、第１再生処理（Ｐ１０４）にて出力された基準音程情報と、音程検出処理（Ｐ１０１）にて出力された音程情報に基づき評価情報を形成する。本実施形態における評価情報は、図８で説明した評価表示領域３１３内に、基準音程情報に基づく音高のバー３１３ａと、マイクロホン１７ｂから入力された歌唱音声の音程が実線３１３ｂとして表示させるための情報である。評価処理（Ｐ１０２）にて形成された評価情報は、表示処理（Ｐ１０３）にてタッチパネル表示部１８に表示出力される。なお、評価情報は、基準音程情報に対する歌唱音声の音程の差とする等、基準音程情報と歌唱音声の音程に基づき歌唱評価を教示できる情報であれば、各種形態にて形成することが可能である。
【００４４】
一方、第１再生処理（Ｐ１０４）にて再生された楽曲情報中の演奏情報は演奏音として出力され、マイクロホン１７ｂから入力される歌唱音声とミキシング処理（Ｐ１０６）される。録音処理（Ｐ１０５）では、演奏音と歌唱音声をミキシングした後の信号の録音を行う。録音された信号は、録音情報として、携帯端末１のＲＡＭ１２等に一時記憶される。また、ミキシング処理（Ｐ１０６）された信号は、スピーカ１７ａから放音出力される。
【００４５】
図９は、採点結果表示画面の画面例を示したものである。その際、携帯端末１は、歌唱した楽曲の採点情報をカラオケ用ホスト装置５に送信し、当該楽曲に関する他の採点情報と比較して、当該楽曲に関する順位を取得して表示する（Ｓ１０７）。採点情報を確認したユーザーは「次へ」と表示されたボタンを操作することで、録音処理Ｓ１０５で録音した録音情報の管理処理へと進む。
【００４６】
図１０には、録音情報について各種管理を行う録音情報管理画面が示されている。この録音情報管理画面では、ユーザーは、「歌唱音声を投稿する」、「歌唱音声を再生する」、「歌唱音声を保存する」、「終了する」等を選択することが可能である。「歌唱音声を再生する」を選択した場合、Ｓ１０５の録音処理で形成した録音情報の再生を実行する。ユーザーは、自分の歌唱による録音情報を聴取して確認することが可能である。「保存する」を選択した場合（Ｓ１０８）、形成した録音情報を、携帯端末１内の記憶部１３に保存する（Ｓ１０９）。保存した録音情報は、後から読み出して再生、あるいは、投稿することが可能である。「終了する」を選択した場合、形成した録音情報を破棄して、一連の投稿処理を終了する。
【００４７】
「歌唱音声を投稿する」を選択した場合（Ｓ１１０：Ｙｅｓ）、形成した音声情報をカラオケ用ホスト装置５に送信するための処理が開始する。本実施形態では、形成した録音情報中、ユーザーが編集処理で指定した区間（所定時間内）のみ、投稿情報に含めて送信することとしている。したがって、録音情報の容量は削減されることとなり、通信回線、並びに、カラオケ用ホスト装置５の負担低減が図られるとともに、投稿するユーザーにとっても、歌唱の聞き所を指定して投稿することが可能となる。また、投稿情報を聴取する側にとっても、多数アップロードされた投稿情報について、歌唱の聞き所を聴取することが可能であり、多数の投稿情報を効率よく聴取することが可能となる。なお、このような形態に代え、録音情報を全て送信（投稿）することとしてもよい。
【００４８】
形成した音声情報をカラオケ用ホスト装置５に送信する場合、まず、編集処理Ｓ１１１が実行される。この編集処理は、前述したように、録音情報を所定時間内（本実施形態では９０秒以内）に収まるように、編集（切り出す）処理であり、切り出し区間の操作はユーザ（投稿者）自身によって行われる。図１１には、本発明の実施形態に係る録音情報編集画面が示されている。この録音情報編集画面には、録音情報を編集するための編集ウィンドウ３１７と編集ツール３１８、そして、編集終了を指定する「決定」ボタンが表示されている。ユーザーは、編集ウィンドウ３１７に表示される操作子、あるいは、編集ツール３１８を操作して切り出し区間を指定し、「決定」ボタンを操作することで、所定時間内の区間を指定することが可能である。編集ツール３１８には、切り出し区間の開始時間（開始位置）と、切り出し区間の終了時間（終了位置）を指定可能とする２つのホイールスイッチ、指定された区間の再生、並びに、指定区間の先頭と末尾にそれぞれ、フェードイン、フェードアウトをかけるか否かを指定することが可能である。本実施形態では、切り出し区間の指定（開始位置と終了位置の指定）について編集ウィンドウ３１７内に表示される操作子、及び、編集ツール３１８内に表示されるホイールスイッチの利用が可能となっている。各ホイールスイッチの周囲をなぞることで、開始時間、終了時間を進退させることが可能である。
【００４９】
図１２には、本発明の実施形態に係る編集ウィンドウの各種形態が示されている。図１２（Ａ）は、図１１の表示画面３１と同じ形態の編集ウィンドウ３１７である。この編集ウィンドウ３１７内には、録音処理で形成された録音情報の振幅値を示す波形情報が表示されている。波形情報は、サビなどの区間では振幅が大きくなることが予想される。また、間奏や前奏、後奏といった区間では振幅が小さくなることが予想される。ユーザーは、波形情報の振幅を頼りに区間開始位置を指定する操作子３１７ａと、区間終了位置を指定する操作子３１７ｂを操作（あるいは、図１１の編集ツール３１８内のホイールスイッチ）して、切り出し区間を指定する。その際、両操作子３１７ａ、３１７ｂの間は、所定時間（９０秒）以上とならないようになっている。ユーザーは、このような編集ウィンドウ３１７のインターフェイスを使用して、切り出す区間を指定することが可能となる。
【００５０】
図１２（Ｂ）は、編集ウィンドウ３１７内に区間種別を表示させた形態である。この区間種別は、録音処理を行う際、再生させた楽曲情報の区間情報に基づいて取得される。区間を限定した投稿を行う場合、区間種別の内、歌唱区間を投稿することが一般的である。そのため、本実施形態では、区間種別中、歌唱区間に相当する区間種別のみを編集ウィンドウ３１７内に表示させる形態を採用している。ユーザーは、編集ウィンドウ３１７内に表示された区間を頼りに、操作子３１７ａと操作子３１７ｂを操作して投稿する区間を指定する（あるいは、図１１の編集ツール３１８内のホイールスイッチ）ことが可能となっている。また、本実施形態では、区間種別に応じて表示形態（本実施形態では、両端の矢印の形状）を変更しており、ユーザーは区間種別を容易に把握することが可能となっている。このように、区間情報を使用した形態では、区間種別の区切り位置に容易に指定できるようにしてもよい。例えば、操作子３１７ａ、３１７ｂが、区間種別で指定された区間の先頭もしくは終端に吸着する形態とすることで、区間種別の区切り位置で正確かつ容易に録音情報の切り出しを行うことが可能となる。
【００５１】
図１２（Ｃ）は、録音情報中、複数の区間を指定可能とするものである。ユーザーはインターフェイス（図示せず）を利用して、区間数を指定することが可能であって、指定した区間数に応じて操作子３１７ａ〜３１７ｄが表示される。図１２（Ｃ）の例では、２つの区間を切り出す場合であって、各区間に２つの操作子３１７ａ〜３１７ｄ（合計４つ）が表示されている。このように複数区間を指定可能とした場合、各区間の合計が所定時間内に収まることが必要とされる。したがって、各操作子３１７ａ〜３１７ｄは、所定時間を超えないようにその移動範囲が制限される。
【００５２】
図１２（Ａ）では波形情報を表示する形態を、図１２（Ｂ）では区間種別を表示する形態を、図１２（Ｃ）では複数区間を指定可能とする形態について説明したが、これら各種形態は適宜組み合わせて行うことも可能である。また、録音情報の区間指定は、図１２（Ｄ）のように簡易なインターフェイスを採用してもよい。図１２（Ｄ）に示される区間指定は、区間開始時間を指定するインターフェイスとなっている。ユーザーは開始分数を指定する回転ドラム３１７ｅと、開始秒数を指定する回転ドラム３１７ｆを開始位置３１７ｇにあわせることで、区間開始時間をしてすることが可能である。この場合、録音情報中、指定された区間開始時間から所定時間（本実施形態では９０秒）の区間が指定されることとなる。
【００５３】
本実施形態では、投稿情報に含める録音情報に時間長の制限（９０秒）を設けているが、本発明においては、この時間長の制限は必ずしも設ける必要はない。また、編集処理では、録音情報中、非歌唱区間に対応する区間種別箇所（前奏、間奏、後奏など）を自動的に削除することとしてもよい。投稿情報に含まれる録音情報を聴取する場合、ユーザーが歌唱している箇所が主な聴取対象となることが考えられる。このような削除処理を行うことで、聴取に不要な箇所を削除し、アップロードする投稿情報の容量を削減することが可能となる。なお、この削除処理は、カラオケ用ホスト装置５において、アップロードされた投稿情報中の録音情報に対して行うこととしてもよい。
【００５４】
録音情報中の区間を指定する編集処理（Ｓ１１１）が完了すると、投稿するユーザーの認証が行われる。ユーザーが既にログインしている場合（Ｓ１１２：Ｙｅｓ）には、そのまま関連情報入力（Ｓ１１４）へと進むことになるが、ユーザーがログインしていない場合（Ｓ１１２：Ｎｏ）には、ユーザーをログインさせるログイン処理（Ｓ１１３）が実行される。その際、ユーザーがアカウントを有していない場合には、アカウントを取得するための新規登録が行われる。ユーザーのログインが完了すると、投稿情報に含める各種投稿関連情報の入力が行われる（Ｓ１１４）。この投稿関連情報は、録音情報を公開する際、あわせて公開される各種情報であって、本実施形態では投稿テキストと、投稿画像を使用することが可能である。
【００５５】
図１３には、本発明の実施形態に係る投稿関連情報入力画面が示されている。この投稿関連情報入力画面には、ログインしたユーザーのアカウントに登録されているユーザー名と、投稿テキスト記入欄３１９、投稿画像選択ボタン３２０、投稿ボタン３２１が表示されている。本実施形態ではアカウントに登録されているユーザー名をそのまま使用する形態となっているが、このユーザー名はユーザー入力により変更可能としてもよい。投稿テキスト記入欄３１９を指定すると、ソフトキーボードなどによるテキスト入力を行うことが可能である。投稿するユーザーは、投稿に関して他のユーザーに伝えたいコメントを入力する。投稿画像選択ボタン３２０には、画像選択ボタン３２０ａと撮影ボタン３２０ｂがあり、画像選択ボタン３２０ａを操作した場合には、携帯端末１の記憶部１３に記憶している画像の中から投稿画像を選択することが可能である。一方、撮影ボタン３２０ｂを操作した場合には、携帯端末１のフロントカメラ１５Ｆ、あるいは、リアカメラ１５Ｒで撮影を行い、撮影された画像を投稿画像とすることが可能である。
【００５６】
投稿関連情報を入力し終えたユーザーは「投稿する」と表記された投稿ボタン３２１を操作することで、編集された録音情報、入力された投稿関連情報等を含んだ投稿情報をカラオケ用ホスト装置５に送信する（Ｓ１１６）。図１４には、本発明の実施形態に係る投稿情報のデータ構成が示されている。本実施形態の投稿情報は、メタ情報と実情報で構成されている。実情報は、録音情報と、音程情報、基準音程情報を含んで構成されている。録音情報は、編集処理で区間指定された箇所の録音情報であり、本実施形態では演奏音と歌唱音声がミキシングされた形態となっている。
【００５７】
音程情報は、歌唱中の歌唱評価処理（Ｓ１０４あるいはＰ１０２）において、マイクロホン１７ｂから入力された歌唱音声の時系列的変化を示した情報である。この音程情報も録音情報と同様、編集処理で区間指定された箇所が切り出されたものである。基準音程情報は、歌唱の対象となった楽曲情報中に含まれていたものであり、録音情報、音程情報と同様、編集処理で区間指定された箇所が切り出されたものである。このように本実施形態では、録音情報の区間指定された箇所に対応する音程情報及び基準音程情報が含まれており、録音情報を再生処理する際、音程情報と基準音程情報に基づいて評価情報を形成することが可能である。したがって、録音情報を再生する際、音程情報と基準情報に基づく評価情報を形成、表示することで、投稿したユーザーが基準音程情報に対してどのような歌唱をしているのかを確認することが可能となる。例えば、どの部分でうまく歌えている、あるいは、ミスをしていることを確認することが可能となる他、ユーザー独自の歌い回しを確認することが可能である。
【００５８】
本実施形態では、評価情報の形成に必要な投稿情報に音程情報と基準音程情報を含めているが、評価情報自体を投稿情報に含めることとしてもよい。例えば、録音情報の記録時において表示された評価表示領域３１３を録画したものを評価情報とすること等、録音情報と基準音程情報の相違を確認可能とする形態であれば、各種形態を採用することが可能である。
【００５９】
メタ情報には、楽曲識別情報、楽曲名、歌手名等の録音時に使用した楽曲に関する情報が含まれている。また、投稿情報がどのユーザーによって投稿されたかを識別可能とするため、投稿者のアカウントに含まれるユーザー識別情報が含まれている。また、楽曲演奏時についての情報として、演奏開始前に設定されたキー（音程）情報、テンポ（速度）情報が含まれている。また、演奏終了時に算出された採点値などの最終評価情報が含まれており、投稿情報のランキング等に使用可能となっている。また、録音情報の切り出し区間を示す編集位置情報、区間種別割当処理（Ｓ１１２）で記録した割当区間情報、図１３の投稿関連情報入力画面で入力した投稿関連情報が含まれている。
【００６０】
カラオケ用ホスト装置５に送信（投稿）された投稿情報は、カラオケ用ホスト装置５の記憶部４１に記憶されるとともに、Ｗｅｂサーバ５２上で公開される。なお、Ｗｅｂサーバ５２上での公開に先立ち、不適切な音声が録音されていないか、あるいは、不適切な画像や言葉が投稿関連情報に含まれていないか等について審査を行い、審査をクリアした投稿情報のみを公開対象としてもよい。
【００６１】
本実施形態では、投稿処理を可能とするカラオケ用プログラムにおいて、投稿情報の聴取を可能としている。では、この投稿情報の聴取形態について、携帯端末１を使用した形態について説明を行う。なお、投稿情報の聴取は、携帯端末１に限られるものではなく、カラオケ装置やパーソナルコンピュータ、あるいは、ゲーム機等、各種情報処理装置において実行することとしてもよい。
【００６２】
図１５には、聴取する投稿情報を選択可能とする採点ランキング画面が示されている。この採点ランキング画面は、図６で説明した楽曲詳細画面中、「ランキング」タブ内に表示されるランキング詳細表示ボタン３１２を操作することで表示される画面である。この採点ランキング画面には、楽曲詳細画面で指定されている楽曲について、投稿情報内の採点値（評価情報）の高い順に、採点値、ユーザー名、並びに、再生開始ボタン３２２ａ〜３２２ｃが表示される画面である。ユーザーは、聴取したいユーザーに対応する再生開始ボタン３２２ａ〜３２２ｃを選択することで、当該ユーザーの録音情報を聴取することが可能である。なお、再生開始ボタン３２２ａ〜３２２ｃが表示されていないユーザーは、投稿を行っていないユーザーであって、録音情報を聴取することはできない。
【００６３】
あるユーザーについて再生開始ボタン３２２ａ〜３２２ｃを操作することで、録音情報の再生が開始される。図１６には、本発明の実施形態に係る再生処理（投稿情報再生時）を示すブロック図が示されている。投稿情報のみを再生することも可能であるが、本実施形態では、投稿情報を再生するとともに、マイクロホン１７ｂから入力される歌唱音声に対する歌唱評価処理を実行することで、第２の評価情報を形成し、投稿情報に基づく評価情報と対比することが可能となっている。さらに、本実施形態では、マイクロホン１７ｂから入力される歌唱音声に対して録音処理を実行することで、更なる投稿処理を行うことを可能としている。
【００６４】
音程検出処理（Ｐ１０１）では、マイクロホン１７ｂから入力された歌唱音声に対して、ＦＦＴ等の音響解析処理を施すことで第２の音程情報を検出する。一方、投稿情報は、分離処理にて、録音情報（演奏音＋歌唱音声）と、基準音程情報、音程情報とに分離される。評価処理（Ｐ１０２）では、基準音程情報と音程情報に基づいて投稿情報内の録音情報に対する第１の評価情報を形成するとともに、基準音程情報と音程検出処理（Ｐ１０１）にて検出された第２の音程情報に基づいて第２の評価情報を形成する。第１の評価情報は、投稿情報の録音情報に対する評価であり、第２の評価情報は、今回、投稿情報の再生に合わせて歌唱された歌唱に対する評価である。表示処理（Ｐ１０３）では、第１の評価情報と第２の評価情報をタッチパネル表示部１８に表示する。
【００６５】
分離処理（Ｐ１０７）で分離された録音情報は、第２再生処理（Ｐ１０８）にて再生され、スピーカ１７ａから放音出力される。このように本実施形態では、録音情報に含まれる音程情報と基準音程情報に基づいて、第１の評価情報を形成し、投稿したユーザーによる録音情報に対する歌唱評価を再現することが可能となっている。投稿情報を受信して再生を行うユーザーは、タッチパネル表示部１８上に表示出力される第１の評価情報に基づいて、投稿したユーザーの歌唱評価を確認することが可能である。さらに、本実施形態では、投稿情報の再生に併せて歌唱された歌唱音声に対し、歌唱音声と基準音程情報に基づく、第２の評価情報を形成し、タッチパネル表示部１８に表示出力することとしている。このような構成によれば、投稿情報を再生するユーザーは、第１の評価情報と第２の評価情報を対比することで、自己の歌唱と投稿したユーザーの歌唱について対比確認を行うことが可能となる。
【００６６】
図１７には、投稿情報を再生する際に表示される録音情報再生画面の一例が示されている。図１５の採点ランキング画面において、２位のＢさんについて再生開始ボタン３２２ｂを操作した場合である。録音情報再生画面には、楽曲名、歌手名、投稿者のユーザー名、採点値（最終評価情報）、そして、投稿関連情報として入力された投稿画像３２５、投稿テキスト３２６、歌詞情報３２７が表示される。歌詞情報３２７は、投稿情報に含まれる楽曲識別情報に基づいて、対応する楽曲情報から取得することが可能である。その際、再生する楽曲について全ての歌詞情報を表示してもよいが、投稿情報中の編集位置情報に基づき、編集処理にて切り出された録音情報に対応する箇所の歌詞情報３２７を表示させることとしてもよい。
【００６７】
この録音情報再生画面の中央には、評価表示領域３１３が設けられている。この評価表示領域３１３には、基準音程情報に基づく音高がバー３１３ａとして表示され、投稿情報に含まれる（第１の）音程情報が破線３１３ｂとして表示される。評価情報に関する表示形態は、図８で説明した評価表示領域３１３と略同様であり、横軸軸を時間軸、縦軸を音高軸として有し、バー３１３ａと破線３１３ｂが、演奏の進行に伴い左方向へとスクロールしていく。破線で示す位置が現在のタイミング、すなわち歌唱位置に相当する。このように、本実施形態では、投稿情報を再生する際、評価表示領域３１３に、投稿情報に含まれる第１の音程情報と、基準音程情報に基づき第１の評価情報を表示することで、投稿したユーザーが基準音程情報に対してどのような歌唱をしているのかを確認することが可能となる。
【００６８】
録音情報を再生するにあたって、録音情報の音程情報（第１の音程情報）が基準音程情報に適合する場合と、適合しない場合とで、歌唱済み箇所のバーの表示形態（色や形など）を変化させることとしてもよい。その際、基準音程情報を難易度別に複数設けておき、再生を行うユーザーによって切り替え可能としてもよい。本実施形態のように音程による評価を行う場合には、適合する音程の範囲を異ならせる、例えば、難易度が高いほど適合する音程の範囲が狭くなることが考えられる。投稿情報を再生するユーザーは、投稿情報を再生する際、図示しないユーザインターフェイスによって難易度を設定することで、基準音程情報を切り替え、異なる評価基準で投稿情報を評価することが可能である。この場合、図１７の評価表示領域３１３の表示のみならず、図９で説明した最終評価情報（採点値）も設定した難易度に応じて変化させてもよい。
【００６９】
さらに、本実施形態では、音程検出処理（Ｐ１０１）にて検出された第２の音程情報が、実線３１３ｃで表示される。本実施形態では、基準音程情報に基づくバー３１３ａと第２の音程情報に基づく実線３１３ｃとで、第２の評価情報を形成している。この第２の評価情報を第１の評価情報と併せて表示することで、投稿情報の再生に合わせて歌唱する自己の歌唱が、基準音程情報、並びに、投稿したユーザーの音程情報（第１の音程情報）に対してどのように異なっているかを確認することが可能となっている。
【００７０】
録音情報再生画面の画面下方には、区間種別指定ボタン、再生位置を指定可能なプログレスバー、一時停止ボタンを含む再生管理ツール３２３が表示されている。再生管理ツール３２３の下方には、「似てる！！」と表記された投票ボタン３２４ａ、「いいね！！」と表記された投票ボタン３２４ｂが表示されている。録音情報を聴取したユーザーは、これら投票ボタン３２４ａ、３２４ｂを操作することで、聴取した録音情報に対する評価を行うことが可能である。なお、これら投票ボタン３２４ａ、３２４ｂは、録音情報の聴取が一定時間以上行われた場合、あるいは、聴取が完了した時点で表示、あるいは操作可能としてもよい。録音情報を聴取することなく投票を行う不正を抑制することが可能となる。
【００７１】
投票ボタン３２４ａ、３２４ｂによる投票操作は、聴取している投稿情報に関する投票情報として、カラオケ用ホスト装置５に送信される。カラオケ用ホスト装置５では、投票項目毎に投票情報を集計し、図６で説明した各項目（「いいね！！」、「似てる！！」）のランキングに使用し、投稿情報を紹介することが可能となる。
【００７２】
以上、携帯端末１を例として、投稿処理、並びに、投稿された投稿情報の聴取処理について説明を行ったが、投稿処理、聴取処理については、携帯端末１のみならず、カラオケ装置、パーソナルコンピュータ、ゲーム機器等、各種情報処理装置において行うことが可能であり、幅広いユーザーに対して歌唱録音による投稿を提供することが可能である。
【００７３】
以上説明した実施形態では、図１４の投稿情報のデータ構成に示されるように、演奏音と歌唱音声をミキシングして録音情報を形成している。このような形態以外に、歌唱音声のみを録音して録音情報を形成することが考えられる。図１８〜図２０には、歌唱音声のみを録音情報として投稿する形態を示したものである。図１８は、本発明の他の実施形態に係る再生処理（初回時）を示すブロック図を示したものであり、図１９は、本発明の他の実施形態に係る投稿情報のデータ構成を示したものであり、図２０は、本発明の実施形態に係る再生処理（投稿情報再生時）を示すブロック図を示したものである。図１８〜図２９は、上述する実施形態において、それぞれ、図５、図１４、図１６に対応している。
【００７４】
ここでは、新たな実施形態について、前述の実施形態と異なる点について説明を行う。図１８のブロック図において、本実施形態では、録音処理（Ｐ１０５）の録音対象が異なっている。前述した実施形態では、演奏音と歌唱音声をミキシングした音響信号を録音対象としていたのに対して、本実施形態では、マイクロホン１７ｂから入力される歌唱音声のみを録音対象としている。したがって、投稿情報に含まれる録音情報には、歌唱音声のみが含まれることとなる。この場合、録音情報を再生する際には、楽曲情報を再生して演奏音が再現される。したがって、本実施形態では、前述の実施形態で投稿情報中に含めていた基準音程情報を必要としない。投稿情報の再生に同期して再生される楽曲情報の基準音程情報が使用される。
【００７５】
図２０には、投稿情報を再生する際の再生処理を示すブロック図が示されている。本実施形態では、受信した投稿情報は、分離処理（Ｐ１０７）において（第１の）音程情報と録音情報に分離され、録音情報は第２再生処理（Ｐ１０８）にて再生される。また、この録音情報の再生に同期して、楽曲情報中の演奏情報が第１再生処理（Ｐ１１０）にて再生される。再生対象となる楽曲情報は、投稿情報中のメタ情報内に記述された楽曲識別情報を参照して判定することが可能である。この第１再生処理（Ｐ１１０）では、演奏情報の再生に同期して基準音程情報が出力される。評価処理（Ｐ１０２）では、基準音程情報と（第１の）音程情報に基づいて第１の評価情報を形成するとともに、音程検出処理（Ｐ１０１）において検出された（第２の）音程情報と、基準音程情報に基づいて第２の評価情報を形成する。表示処理（Ｐ１０３）では、形成された第１の評価情報と第２の評価情報をタッチパネル表示部１８に表示させる。
【００７６】
ミキシング処理（Ｐ１１１）では、第１再生処理（Ｐ１１０）にて再生された演奏音と、第２再生処理（Ｐ１０８）にて再生された歌唱音声をミキシングすることで、投稿時の歌唱状態を再現する。また、本実施形態では、歌唱音声と演奏音を分けて扱う関係上、新たに歌唱された歌唱音声を録音し、新たな投稿情報のための録音情報として扱うことも可能である。録音処理（Ｐ１０５）では、マイクロホン１７ｂから入力される歌唱音声を録音して録音情報を形成する。形成された録音情報は、図４と同様の投稿処理を経て新たな投稿情報として、カラオケ用ホスト装置５に投稿することが可能である。
【００７７】
このように歌唱音声のみを録音する形態においても、投稿情報の再生を行う際、録音情報の録音時に使用した楽曲情報に対応する歌唱基準情報と録音対象となった歌唱音声に基づいて形成された評価情報を表示手段に表示することで、投稿された歌唱が、オリジナルの歌唱とどのように異なっているか、投稿した歌唱を再生するユーザー側にて確認可能となる。
【符号の説明】
【００７８】
１…携帯端末（情報処理装置）              １７ｂ…マイクロホン
１１…ＣＰＵ                              １８…タッチパネル表示部
１２…ＲＡＭ                              １８ａ…タッチパネル
１３…記憶部                              １８ｂ…表示部
１４…画像制御部                          １９…通信部
１５Ｆ…フロントカメラ                    ２０…入力スイッチ
１５Ｒ…リアカメラ                        ２１…外部入力端子
１６…音響処理部                          ２２…外部メモリ接続端子
１７ａ…スピーカ
【図１】
2015191160.tif 000003
【図２】
2015191160.tif 000004
【図３】
2015191160.tif 000005
【図４】
2015191160.tif 000006
【図５】
2015191160.tif 000007
【図６】
2015191160.tif 000008
【図７】
2015191160.tif 000009
【図８】
2015191160.tif 000010
【図９】
2015191160.tif 000011
【図１０】
2015191160.tif 000012
【図１１】
2015191160.tif 000013
【図１２】
2015191160.tif 000014
【図１３】
2015191160.tif 000015
【図１４】
2015191160.tif 000016
【図１５】
2015191160.tif 000017
【図１６】
2015191160.tif 000018
【図１７】
2015191160.tif 000019
【図１８】
2015191160.tif 000020
【図１９】
2015191160.tif 000021
【図２０】
2015191160.tif 000022